Podtech/llm-jp-corpus-v4-ja_patent huggingface dataset:
(57)【要約】      （修正有）【課題】携帯して雨天時のカバンを守り、サイズ調整も可能で装着中もカバンの中身を出し入れ出来、防水カバーとして使用しない時には、カバンに携帯して通常時の買い物袋として使用する二通りの使い方が出来るカバンの携帯雨用カバーを提供する。【解決手段】ビニールやポリエステルの防水性素材の上部を開口した袋体からなり、袋体上部周縁の一部に長方形状舌片のフタ７の一端を固定し、袋体の内部に挿入自在とする。フタ７の他端の表面には、重量のある重り１２を設ける。袋体の開口部周縁内側に、中空筒状の紐通し２を設け、筒状中央に挿通口５を設け、挿通口５により紐通しに紐を挿入し、紐通しを絞ることにより開口部の広狭を調節可能とする。袋体の内側の上部には、取っ手を設け、取っ手中央にボタン穴９ｂを設ける。袋体の上面内側に取っ手を止めるためのボタン９ａを設ける。【選択図】図１
0003182430.tif 000002
【実用新案登録請求の範囲】
【請求項１】
本体は、ビニールやポリエステルの防水性素材の上部を開口した袋体からなり、袋体上部周縁の一部に長方形状舌片のフタの一端を固定し、フタの他端の表面には、重量のある重りを設け、袋体の開口部周縁内側に、中空筒状の紐通しを設け、筒状中央に挿通口を設け、挿通口により紐通しに紐を挿入し、紐通しを絞ることにより開口部の広狭を調節可能としたカバンの携帯雨用カバー。
【請求項２】
袋体の内側の上部に、取っ手を設け、取っ手中央にボタン穴を設け、袋体の上面内側に取っ手を止めるためのボタンを設けた請求項１のカバンの携帯雨用カバー。
【考案の詳細な説明】
【技術分野】
【０００１】  本考案は、通常は携帯用の買い物袋として使用し、雨が降ってきた時はカバンに被せて、カバンを覆う雨用カバーに関するものである。
【背景技術】
【０００２】  従来、カバンやバッグの携帯雨用カバーは、ビニール製の袋体になり、小さく折り畳んで、カバン等に入れ持ち歩いていた。また、雨カバーの開口部のサイズを調整して大きさの大小を問わず、対応してカバンやバックの携帯用防水保護カバーが知られている。（特許文献１参照）
【先行技術文献】
【特許文献】
【０００３】
【特許文献１】  特開２００２−１４２８２９号公報
【考案の概要】
【考案が解決しようとする課題】
【０００４】  従来、カバンの携帯雨用カバーは、雨天時のためにカバンに折り畳んで持ち歩き雨天時にカバンやバックを覆い防水カバーとして使用するだけであった。雨天時の防水カバーとして使用しない時には、折り畳んで持ち歩くため荷物になってしまう。
本考案は、以上の問題点を解決するためになされたものである。
【課題を解決するための手段】
【０００５】  本体は、ビニールやポリエステルの防水性素材の上部を開口した袋体からなり、袋体上部周縁の一部に長方形状舌片のフタの一端を固定し、袋体の内部に挿入自在とする。フタの他端の表面には、重量のある重りを設ける。袋体の開口部周縁内側に、中空筒状の紐通しを設け、筒状中央に挿通口を設け、挿通口により紐通しに紐を挿入し、紐通しを絞ることのより開口部の広狭を調節可能とする。
袋体の上面には、取っ手を設け、取っ手中央にボタン穴を設ける。袋体の上面内側に取っ手を止めるためのボタンを設けるカバンの携帯雨用カバーである。
本考案は、以上の構成よりなるカバンの携帯雨用カバー。
【考案の効果】
【０００６】  従来、カバンやバッグの携帯用防水保護カバーは、雨天時のためにカバンに折り畳んで持ち歩き、雨天時にカバンやバッグを覆い防水カバーとして使用するだけであった。
本考案により、携帯して雨天時のカバンやバッグを守る携帯用防水保護カバーだけでなく、防水カバーとして使用しない時には、カバンに携帯して通常時の買い物袋として使用し、二通りの使い方ができる。
【図面の簡単な説明】
【０００７】
【図１】本考案の斜視図
【図２】本考案の要部拡大の斜視図
【図３】本考案の使用状態を示す斜視図
【考案を実施するための形態】
【０００８】  以下、本考案の形態を説明する。
（イ）上面を開放した開口部（１）を有する袋体からなり、開口部（１）の上部周縁内側      に中空筒状の紐通し（２）を設け、筒状中央に紐を通す挿通口（５）（６）を設け      、紐を設ける。紐（３）には、円球体のビーズ（４）を設け、開口部（１）の広狭      を調節可能とする。
（ロ）袋体上部の周縁中央開口部（１）には、開口部（１）の内径より小さくした細幅で      長方形状のフタ（７）の一端を固定し、フタ（７）表面中央に重量のある重り（１      ２）を設け、カバー（１０）の開口部（１）のフタ（７）とする。
（ハ）開口部（１）の上周縁内側、中空筒状の紐通し（２）の中央部分に、両端を固定し      た手提げ部（８）を設け、手提げ部（８）の中央にボタン穴（９ｂ）を設ける。
開口部（１）の上部中央内側に、手提げ部（８）のボタン穴（９ｂ）に対応するボ      タン（９ａ）を設ける。手提げ部（８）は、ボタン（９ａ）・ボタン穴（９ｂ）に      より、着脱自在とする。
本考案は、以上のような構造である。
本考案を、通常時の買い物バックとして使用する時は、カバー（１０）の開口部（１）の上部中央内側のボタン（９ａ）と、開口部（１）周縁内側に設けた手提げ部（８）のボタン穴（９ｂ）を取り外す。手提げ部（８）は、手提げとなり荷物を入れる買い物袋となる。
開口部（１）上部中央の紐（３）を引き、ビーズ（４）で固定することにより巾着となり、開口部（１）の大きさも調節可能となる。
本考案を、雨天時の雨用カバーとして使用する時は、カバー（１０）の開口部（１）の上部中央内側のボタン（９ａ）に開口部（１）の上部内側に設けてある手提げ部（８）の対応するボタン穴（９ｂ）を止める。
開口部（１）より、カバン（１４）を入れ上部中央の紐（３）を引き、円球体のビーズ（４）で固定し、巾着となり開口部（１）上部中央にあるフタ（７）を、カバン手提げ部（１３）より通しフタとする。
雨からカバンを守る雨用カバーとなり、装着中もそのままでカバンの中身を出し入れすることが出来る。
【符号の説明】
【０００９】  １開口部、２紐通し、３紐、４ビーズ、５・６挿通口、７フタ、８手提げ部、９ａボタン、９ｂボタン穴、１０カバー、１１底部、１２重り、１３カバン手提げ部  １４カバン
【図１】
0003182430.tif 000003
【図２】
0003182430.tif 000004
【図３】
0003182430.tif 000005
(57)【要約】      （修正有）【課題】ゴルフゲームにおいてプレイヤーを楽しませたり、リラックスさせたり、気分を高揚させるゴルフティーを提供する。【解決手段】ゴルフティーの素材はプラスチックまたは木を用いる。先端部は細くなっていて容易に地面に刺さるようになっている。ティーの長さはロングティー、ショートティー、ミドルティーなど数種類が使い分けられるようにする。ティーのボールを設置する部分は、上から見るとハート型をしており、中央をくぼませてお椀状にすることでボールを設置しやすく加工する。【選択図】図３
0003182426.tif 000002
【実用新案登録請求の範囲】
【請求項１】
ゴルフティーのボールを置く部分の断面がハート型で、中央がくぼんでお椀状になっており、ティーを刺したときに上から見るとハート型に見えることが特徴である。
【考案の詳細な説明】
【考案の詳細な説明】
【技術分野】
【０００１】本考案はゴルフゲームにおいて使用するゴルフティーに関する。
【背景技術】
【０００２】ゴルフゲームにおいてプレーヤーはティーショットを打つためにボールをティーアップするゴルフティーを携帯している。
【考案の概要】
【考案が解決しようとする課題】
【０００３】通常はプレーヤーは好みにより、インパクト時の抵抗の少ないティーを使用したり、色や形状の気に入ったティーを使用しているが、多くのティーは機能性にこだわっていてその形状や色での気分を高揚させるものが少ない。
【課題を解決するための手段】
【０００４】本考案は、ゴルフティーの形状を上から見るとハート型の断面にし、ハート型の中心部は通常のティーのようにくぼんでいてお椀状になっていることでボールを置く機能は従来通りでさらにプラスして見た目の形にゴルファーの気分を高揚させる要素を追加する。
【考案の効果】
【０００５】断面をハート型にすることで、ティーインググラウンドでティーを刺したときに上から見るとハートの上にボールを置くようになり、特に女性のゴルファーの気分をリラックスさせたり、高揚させる効果が期待できる。【０００６】また色を何種類か作り、好みの色を使用することでさらに使う楽しみを持ってもらうことが期待できる。
【図面の簡単な説明】
【０００７】
【図１】ゴルフティー全体を示した上からの斜視図である。
【図２】ゴルフティーのボール設置部分の断面図（平面）である。
【図３】ゴルフティーを横から見た平面図である。
【図４】ボールを載せた状態の平面図である。
【考案を実施するための形態】
【０００８】以下、本考案の実施の形態を図面を参照して説明する。
図１は本考案の全体の斜視図で、ゴルフティーの素材はプラスチックまたは木を用いる。先端部は細くなっていて容易に地面に刺さるようになっている。ティーの長さはロングティー、ショートティー、ミドルティーなど数種類が使い分けられるように製造されることが好ましい。
【０００９】図２はティーのボールを設置する部分の断面図である。上から見るとハート型をしており、中央をくぼませてお椀状にすることでボールを設置しやすく加工されている。
【００１０】図３は横から見た平面図である。
【００１１】図４はボールを載せた状態の使用例を横からの平面図にしたもので、ボール設置部がお椀状になっていることでボールを安定させる形状となっている。
【図１】
0003182426.tif 000003
【図２】
0003182426.tif 000004
【図３】
0003182426.tif 000005
【図４】
0003182426.tif 000006
【手続補正書】
【提出日】平成25年1月15日(2013.1.15)
【手続補正１】
【補正対象書類名】実用新案登録請求の範囲
【補正対象項目名】全文
【補正方法】変更
【補正の内容】
【実用新案登録請求の範囲】
【請求項１】
ゴルフティーであって、ボールを置く部分が、ハート型であって、かつ、中央がくぼんでお椀状になっていることを特徴とするハート断面ティー。
(57)【要約】      （修正有）【課題】長時間の叩打でも疲れにくい、つぼ叩打ハンマーの球状グリップを提供する。【解決手段】柄２の他端に球状グリップとなる握り球３を設けることにより、ハンマーを握る手指に力が要らず、足裏など身体のつぼの連続叩打が楽になり、手や腕への負担が軽減できる。【選択図】図１
0003182427.tif 000002
【実用新案登録請求の範囲】
【請求項１】
柄の末端に握り球を設けたことを特徴とする、つぼ叩打ハンマーの球状グリップ。
【考案の詳細な説明】
【技術分野】
【０００１】  本考案は、身体のつぼを刺激するハンマーの柄に握り球を設けた、つぼ叩打ハンマーの球状グリップに関するものである。
【背景技術】
【０００２】  従来、身体叩打に使用するハンマーの柄は、特別なグリップを有していないか、あるいはグリップを有していたとしても、金槌など他の用途に使用するハンマーと同じように、滑り止め程度の利便性を施すに留まっていた。
【考案の概要】
【考案が解決しようとする課題】
【０００３】  足裏など身体のつぼを刺激するためには、弱い力ではあるが一定時間の連続叩打が必要であり、その間細い柄を握り続けなければならないため、握力のない女性や高齢者には手や腕への負担が大きく、また叩打中に誤ってハンマーを取り落とす危険もあった。
【課題を解決するための手段】
【０００４】  つぼ叩打ハンマーの柄に、球状のグリップを設ける。
【考案の効果】
【０００５】  柄の末端に取り付けられた球を手のひら全体で包むように握るため、長時間の使用でも手や腕に負担がかからず、ハンマーを取り落とす虞も軽減される。
また、指の股で柄を挟むような持ち方もできるため、叩打が楽に行える。
【図面の簡単な説明】
【０００６】
【図１】本考案の平面図である。
【図２】本考案の立体図である。
【考案を実施するための形態】
【０００７】  つぼ叩打ハンマー１の柄２の末端に、握り球３を設ける。
【符号の説明】
【０００８】  １  ハンマー
２  柄
３  握り球
【図１】
0003182427.tif 000003
【図２】
0003182427.tif 000004
【手続補正書】
【提出日】平成25年1月11日(2013.1.11)
【手続補正１】
【補正対象書類名】実用新案登録請求の範囲
【補正対象項目名】全文
【補正方法】変更
【補正の内容】
【実用新案登録請求の範囲】
【請求項１】
つぼ叩打ハンマーであって、柄の他端に球状グリップとなる握り球を設けたことを特徴とするつぼ叩打ハンマー。
(57)【要約】      （修正有）【課題】男性用肌着の首廻りを広げて、その上の重ね着から見えないようにした男性用肌着を提供する。【解決手段】男性用下着において、従来首元まであった首廻りを、その上の重ね着より３〜１０ｃｍ広く作り、重ね着をすることで外から下着が見えないように形成する。【選択図】図１
0003182425.tif 000002
【実用新案登録請求の範囲】
【請求項１】
男性用下着の半袖、７部袖、９部袖，長袖用に関するもので、首部廻りの開き具合を３〜１０Ｃｍｍ広くしたもの。
【考案の詳細な説明】
【発明の分野】
【０００１】本考案は首のまわりが上の重ね着から見えなくした下着に関するものである。
【背景技術】
【０００２】従来の男性用下着は首の廻りが上の重ね着と同じくらいの大きさに作られており、上に重ね着をすると、その下着が外から見えていた。
【考案の開示】
【考案が解決しようとする課題】
【０００３】従来の着用方法では男性用下着が外から見えており、見苦しかった。
【課題を解決する手段】
【０００４】本考案は男性用下着の首廻りを広げて、男性用下着が外から見えなくしたもの。
【考案の効果】
【０００５】本考案の下着を着用することにより、従来の見苦しさが解決した。
【考案を実施するための最良の形態】
【０００６】以下、本考案の実施の形態を説明する。
従来の男性用下着は参考図の上図のように首元まであった、新たに考案した下着は参考図の下図のように首廻りから３Ｃｍから１０Ｃｍ広げて作った。
【実施例】
【０００７】女性用の下着はいろいろと考案されているが、男性用の下着はないのが現状である。
【図面の簡単な説明】
【０００８】
【図１】本考案の図面
【符号の説明】
【０００９】１  従来の下着の首廻り図
２  新しく考案した下着の首廻り図
【図１】
0003182425.tif 000003
【手続補正書】
【提出日】平成25年1月11日(2013.1.11)
【手続補正１】
【補正対象書類名】実用新案登録請求の範囲
【補正対象項目名】全文
【補正方法】変更
【補正の内容】
【実用新案登録請求の範囲】
【請求項１】
男性用肌着であって、首部の半径を３〜１０ｃｍ広げたことを特徴とする男性用肌着。
【手続補正３】
【補正対象書類名】明細書
【補正対象項目名】０００１
【補正方法】変更
【補正の内容】
【０００１】本考案は首のまわりが上の重ね着から見えなくした男性用肌着に関するものである。
【手続補正４】
【補正対象書類名】明細書
【補正対象項目名】０００２
【補正方法】変更
【補正の内容】
【０００２】従来の男性用肌着は首の廻りが上の重ね着と同じくらいの大きさに作られており、上に重ね着をすると、その肌着が外から見えていた。
【手続補正５】
【補正対象書類名】明細書
【補正対象項目名】０００３
【補正方法】変更
【補正の内容】
【０００３】従来の着用方法では男性用肌着が外から見えており、見苦しかった。
【手続補正６】
【補正対象書類名】明細書
【補正対象項目名】０００４
【補正方法】変更
【補正の内容】
【０００４】本考案は男性用肌着の首廻りを広げて、男性用肌着が外から見えなくしたもの。
【手続補正７】
【補正対象書類名】明細書
【補正対象項目名】０００５
【補正方法】変更
【補正の内容】
【０００５】本考案の肌着を着用することにより、従来の見苦しさが解決した。
【手続補正８】
【補正対象書類名】明細書
【補正対象項目名】０００６
【補正方法】変更
【補正の内容】
【０００６】以下、本考案の実施の形態を説明する。
従来の男性用肌着は参考図の上図のように首元まであった、新たに考案した肌着は参考図の下図のように首廻りから３ｃｍから１０ｃｍ広げて作った。
【手続補正９】
【補正対象書類名】明細書
【補正対象項目名】０００７
【補正方法】変更
【補正の内容】
【０００７】女性用の肌着はいろいろと考案されているが、男性用の肌着はないのが現状である。
【手続補正１０】
【補正対象書類名】明細書
【補正対象項目名】０００９
【補正方法】変更
【補正の内容】
【０００９】１  従来の男性用肌着の首廻り図
２  新しく考案した男性用肌着の首廻り図
【手続補正１１】
【補正対象書類名】図面
【補正対象項目名】図１
【補正方法】変更
【補正の内容】
【図１】
0003182425.tif 000004
(57)【要約】【課題】通常のスヌードでは露出してしまう首部分をガードし、同時に着脱の際のメイクの付着や髪型のくずれを防ぎ、多様なファッションスタイルに適合し、高いファッション性も損なわないデザインのスヌードを提供する。【解決手段】装着の際は収縮で首の露出をおさえ、取り外しの際は伸ばして輪を大きくできるよう、生地の円周を長く取りゴムを伸ばして生地に縫い付ける。八の字にねじり、二重にして装着するのでボリュームが出ることも高いファッション性を保つ。本考案により、和装にも実用性・ファッション性において最適なデザインの防寒・紫外線ガードアイテムとなる。【選択図】図５
0003182429.tif 000002
【実用新案登録請求の範囲】
【請求項１】
スヌードの円周を長くし、生地の裏側にゴムを伸ばして縫い付けることにより、着脱の際のメイクの付着、髪型のくずれを防ぎ、首の露出を防ぐことができる上、ファッション性を損なわないスヌード。
【請求項２】
様々な場面に快適に利用できるよう、吸水速乾性のある機能生地やそれに準ずる生地を使用するスヌード。
【請求項３】
和装では必ず空いてしまう首と襟の間にフィットし、高い保温性と正面から見たファッション性をも同時に実現するスヌード。
【考案の詳細な説明】
【技術分野】
【０００１】
本考案は、ファッション性の高い首元の保温または紫外線対策のためのスヌードに関する。
【背景技術】
【０００２】
首元の保温または紫外線対策アイテムとしてはマフラーやスカーフ、スヌード等すでに広く流通している。
【０００３】
このスヌードについては保温、紫外線対策アイテムとしてどちらも展開されている。
【０００４】
保温のためのスヌードとして特許文献１のような特殊なデザインはすでに提案されているが、本考案とは用途・趣旨が異なるものである。
【先行技術文献】
【特許文献】
【０００５】
【特許文献１】実用新案登録第３１５８５６２号登録実用新案公報
【考案の概要】
【考案が解決しようとする課題】
【０００６】
マフラーでは風などにより巻いた状態がくずれることがあり、通常の歩行以外には不向きである。スカーフはカジュアルやスポーツ、和装には不向きで、ファッションがかなり限定される。
【０００７】
スヌードは保温、紫外線対策アイテムとして使用される素材も様々であるが、デコルテはカバーできるが首の前部分が露出するものが多く、首を完全に紫外線からガードすることができない。また、ボリュームのあるスヌードであれば八の字にして２重にして被って首の露出を防ぐことができるが、着脱の際メイクがスヌードに付着してしまったり、髪型をくずしてしまう。
【０００８】
保温目的のスヌードについては、ウールやアクリルなどの製品が多いため、アクティビティや多少でも汗をかく場面には不向きである。
【課題を解決するための手段】
【０００９】
このため、本件はより多くのファッションに対応でき、巻いた状態を保持できるスヌードを基本の型として考案するものである。
【００１０】
まずスヌードの円周を長くすることにより、着脱の際のメイクの付着、髪型のくずれが防げる。円周を長くするだけでは首の露出が防げないため、スヌード生地の裏側にゴムを伸ばして縫い付ける。これを使用の際は八の字にして二重にして装着するのでボリュームが出るため、首の露出を防ぐことができ、またファッション性を損なわない。
【００１１】
様々な場面に快適に利用できるよう、吸水速乾性のある機能生地やそれに準ずる生地を使用する。
【考案の効果】
【００１２】
現在流通しているスヌードでは露出していた首部分を完全に紫外線から防ぐことができ、自転車の運転、スポーツ観戦などで日傘をさせない場面でも安心である。メイクを施す顔についてはメイクにより紫外線を防げるが、首は日焼け止めを定期的に塗りなおさなければならず、本考案により手間が省ける。
【００１３】
円周が長いため、メイクの付着や髪型のくずれなく、安心して着脱が可能である。
【００１４】
またボリュームがあるので首まわりの大きくあいた服でもカバーできる。
【００１５】
本考案のデザインにより、和装に装着した場合に襟足にフィットし、高い保温性とファッション性を同時に実現した。
【００１６】
吸水速乾性のある機能生地やそれに準ずる生地を使用するため、スポーツ前後やウォーキングなどの軽い運動時、また意外と汗ばむ機会の多い自転車の運転時、和装での外出などに快適に使用できる。
【図面の簡単な説明】
【００１７】
【図１】スヌードの出来上がり図である。
【図２】スヌードの展開図である。布にゴムを伸ばしながら縫い付け、縫縮させる。ゴムの縫い付け方は図２では対角線に沿っているが、長い辺に対して平行に縫い付けても構わない。
【図３】図２の長い辺同士を筒状に縫い合わせたのち、このように輪に縫い合わせる。
【図４】装着の際は輪を首にかけ、このように八の字にねじり、ゴムを伸ばしながら被ることにより、メイクの付着や髪型のくずれを防ぐことができる。
【図５】装着イメージである。ゴムの収縮により、首が露出しない。
【図６】本考案によるデザインのスヌードを和装に装着した場合、和装の際必ず空く襟と首の隙間、襟足部分にはまるため保温効果が高く、また正面から見ても高いファッション性を保つ。
【考案を実施するための形態】
【００１８】
装着の際は輪を首にかけ、八の字にねじり、ゴムを伸ばしながら被る。取り外しの際は二重にしたまま伸ばして取り外す。
【実施例】
【００１９】
日傘をさすことのできない場合、例えば自転車に乗る際やスポーツ観戦時に有効である。また和装時も請求項３に記したように有効である。
【符号の説明】
【００２０】
矢印は矢印方向に伸ばすの意味。
【図１】
0003182429.tif 000003
【図２】
0003182429.tif 000004
【図３】
0003182429.tif 000005
【図４】
0003182429.tif 000006
【図５】
0003182429.tif 000007
【図６】
0003182429.tif 000008
【手続補正書】
【提出日】平成25年1月10日(2013.1.10)
【手続補正１】
【補正対象書類名】実用新案登録請求の範囲
【補正対象項目名】全文
【補正方法】変更
【補正の内容】
【実用新案登録請求の範囲】
【請求項１】
スヌードの円周を長くし、生地の裏側にゴムを伸ばして縫い付けることにより、着脱の際のメイクの付着、髪型のくずれを防ぎ、首の露出を防ぐことができる上、ファッション性を損なわないスヌード。
【請求項２】
様々な場面に快適に利用できるよう、吸水速乾性のある機能生地やそれに準ずる生地を使用することを特徴とする請求項１に記載のスヌード。
(57)【要約】      （修正有）【課題】携帯電話器に笛を設けていることを特徴とする笛つき携帯電話器を提供する。【解決手段】円筒形の笛の本体の一方端に円柱形の閉鎖器具を取り付け、他の一方端に笛の吹き口５を有し、略３角形の笛孔を笛の本体の中央上部に形成し、当該笛孔の下後部の位置に音調整体を取り付けた笛体２を設け、当該笛体を略４角形の携帯電話器体１の右前部９に笛の吹き口５が携帯電話器体１の右前の角に位置する形態で設けている。これにより、現在の携帯電話の高い普及状況から多くの人が常に笛を持ち歩くことになり、いつでも、どこにおいても、必要なときに笛を吹くことが可能になる。【選択図】図１
0003182417.tif 000002
【実用新案登録請求の範囲】
【請求項１】
円筒形の笛の本体（３）の一方端に円柱形の閉鎖器具（４）を取り付け、他の一方端に笛の吹き口（５）を有し、略３角形の一辺の直線が笛の本体（３）の一方端と他の一方端を結ぶ直線に対して直角の形状で当該直線が略３角形の後方に位置する形態の略３角形の笛孔（６）を笛の本体（３）の中央上部に形成し、当該笛孔（６）の下後部の位置に笛の本体（３）の内側の底に円柱形の湾曲面の一部に平壁面（７）を形成した音調整体（８）を平壁面（７）が上部に位置する形態で取り付けた笛体（２）を設け、当該笛体（２）を略４角形の携帯電話器体（１）の右前部（９）に笛の吹き口（５）が携帯電話器体（１）の右前部の角に位置する形態で設けていることを特徴とする笛つき携帯電話器。
【考案の詳細な説明】
【技術分野】
【０００１】  本考案は、携帯電話器に笛を設けていることを特徴とする笛つき携帯電話器に関するものである。
【背景技術】
【０００２】従来の技術は、笛をポケットなどに入れて持ち歩くのであるが、面倒なため笛を持ち歩かなかったり、笛を忘れることがあるため、防災や防犯などにおいて、肝心のときに笛を活用できないことが多かった。
【考案の開示】
【考案が解決しようとする課題】
【０００３】  本考案は、笛を常に持ち歩いて、防災や防犯などにおいて笛を効果的に活用できることを目的とするもので、前述の笛の課題を解決しようとするものである。
【課題を解決するための手段】
【０００４】円筒形の笛の本体（３）の一方端に円柱形の閉鎖器具（４）を取り付け、他の一方端に笛の吹き口（５）を有し、略３角形の一辺の直線が笛の本体（３）の一方端と他の一方端を結ぶ直線に対して直角の形状で当該直線が略３角形の後方に位置する形態の略３角形の笛孔（６）を笛の本体（３）の中央上部に形成し、当該笛孔（６）の下後部の位置に笛の本体（３）の内側の底に円柱形の湾曲面の一部に平壁面（７）を形成した音調整体（８）を平壁面（７）が上部に位置する形態で取り付けた笛体（２）を設け、当該笛体（２）を略４角形の携帯電話器体（１）の右前部（９）に笛の吹き口（５）が携帯電話器体（１）の右前部の角に位置する形態で設けていることを特徴とする。
【考案の効果】
【０００５】現在における携帯電話の高い普及状況から、本考案の笛つき携帯電話器を携帯すれば、多くの人が常に笛を持ち歩くことになり、いつでも、どこにおいても、必要なときに笛を吹くことが可能になる。このことから、本考案の笛つき携帯電話器は、防災および防犯において極めて大きな効果がある。
【考案を実施するための最良の形態】
【０００６】本考案の実施形態を図面を基に説明する。
円筒形の笛の本体（３）の一方端に円柱形の閉鎖器具（４）を取り付け、他の一方端に笛の吹き口（５）を有し、略３角形の一辺の直線が笛の本体（３）の一方端と他の一方端を結ぶ直線に対して直角の形状で当該直線が略３角形の後方に位置する形態の略３角形の笛孔（６）を笛の本体（３）の中央上部に形成し、当該笛孔（６）の下後部の位置に笛の本体（３）の内側の底に円柱形の湾曲面の一部に平壁面（７）を形成した音調整体（８）を平壁面（７）が上部に位置する形態で取り付けた笛体（２）を設け、当該笛体（２）を略４角形の携帯電話器体（１）の右前部（９）に笛の吹き口（５）が携帯電話器体（１）の右前部の角に位置する形態で設けていることを特徴とする。
【実施例】
【０００７】携帯電話器体（１）の右前部（９）の笛の吹き口（５）に口をあて、笛の吹き口から息を吹きかける。これにより笛の音が発生する。
【図面の簡単な説明】
【０００８】
【図１】笛つき携帯電話器の一部破断の斜視図
【図２】笛つき携帯電話器の斜視図
【図３】笛体の一部破断の斜視図
【図４】笛体を横から見た断面図
【図５】笛体の分解図
【符号の説明】
【０００９】  １  携帯電話器体
２  笛体
３  笛の本体
４  閉鎖器具
５  笛の吹き口
６  笛孔
７  平壁面
８  音調整体
９  右前部
【図１】
0003182417.tif 000003
【図２】
0003182417.tif 000004
【図３】
0003182417.tif 000005
【図４】
0003182417.tif 000006
【図５】
0003182417.tif 000007
(57)【要約】      （修正有）【課題】同じ技術によるものを２台以上組み合わせる事により、如何なる長さの鉄道模型等でも、展示可能な展示ケースを提供する。【解決方法】展示ケース妻部２の部材を、ケース背面及び前面の部材に設けられた溝状の支持部分に上から差し込まれ着脱可能なプレート状の部材とし、この取外しにより同一仕様のケース二台以上を接続使用可能とする。【選択図】図２
0003182414.tif 000002
【実用新案登録請求の範囲】
【請求項１】
ケース妻部を着脱可能とし、同仕様のケース二台以上を接続使用可能なことを特徴とする展示ケース。
【請求項２】
着脱可能なケース妻部について、その着脱に一切の工具等を必要としない事を特徴とする展示ケース。
【請求項３】
ケース外形を正しい直方体とし、ケース単体の重さを２ｋｇ以内とする事で壁面での縦横に連続した取付けが、容易にできる事を特徴とする展示ケース。
【考案の詳細な説明】
【技術分野】
【０００１】  この考案は、鉄道模型等の展示に用いるケースの形状に関する。
【背景技術】
【０００２】  従来の鉄道模型等の展示に用いるケースで、直方体若しくはそれに類する形状のものは、図３に示すように、その材質に関わらず妻部が固定され、それ以外の面（前面・背面・天板・底板）のいずれかを開閉若しくは着脱可能として、展示物の出し入れをするものであった。
【考案の概要】
【考案が解決しようとする課題】
【０００３】  しかしながら、以上の技術によれば、展示ケースは単独の閉じた容器として使うことに限定され、展示する鉄道模型等の最大長さは、ケース１台の内部寸法以内に限られていた。【０００４】  そこで、この考案は、同じ技術によるものを２台以上組み合わせる事により、如何なる長さの鉄道模型等でも、展示可能なケースを提供する事を課題とする。
【課題を解決するための手段】
【０００５】  以上の課題を解決するために、第一考案は、ケースの妻部を着脱可能とし、卓上にて同様のケース２台以上を横に並べれば、接続使用できる事を特徴とする展示ケースである。【０００６】  また、第二考案は、ケースの妻部を着脱可能とし、この着脱に一切の工具等を必要としない事を特徴とする展示ケースである。【０００７】  さらに、第三考案は、ケース外形を正しい直方体とし、ケース単体の重さを２ｋｇ以内とする事で、壁面において縦横に隙間なく連続した取付けが、容易にできる事を特徴とする展示ケースである。
【考案の効果】
【０００８】  第一考案、また第二考案によれば、展示ケース妻部の部材を一切の工具等を要さず着脱可能とする事で、同一仕様による複数のケースの接続使用ができ、如何なる長さの鉄道模型等にも極めて簡単に対応し、展示する事が可能になる。【０００９】  さらに第三考案によれば、展示ケースを壁面取付の容易な、軽量かつ正しい直方体とする事で、卓上のみならず壁面での取付使用においても、壁の広さが許す限り縦横に、連続した隙間のない取付使用が容易にでき、広く展示用のインテリア材としての使用が可能となる。
【図面の簡単な説明】
【図１】この考案の一実施形態を示す斜視図である。
【図２】この考案の他の実施形態を示す斜視図である。
【図３】従来技術を示す斜視図である。
【考案を実施するための形態】
【００１０】  この考案の一実施形態を図１に示す。展示ケース妻部の部材はプレート状であり、ケース背面及び前面の部材に設けられた溝状の支持部分に上から差し込まれている。
【００１１】  この実施形態では、従来技術による図３の形態とは異なり、通常、ガラス・アクリル等、透明の材料で作られる前面の部材について、その両端の一部分を固定し、妻部の保持に充てる。
【００１２】  また壁面取付時においては、図１に示す点線のように、同一仕様のケースを上下左右連続的に取り付ける事も可能である。
【００１３】「実施形態の効果」
この実施形態によれば、展示ケース妻部は工具等を用いなくとも簡単に取り外す事ができ、同一仕様のケース２台以上を用いて、その内部空間を連続的に繋いだ使用が可能となる。なおかつ妻部のプレート状部材は、ケース本体の天地を逆さまにしない限り、安定的に保持される。
【００１４】「他の実施形態」
図１の実施形態では、内部に複数の段を備える展示ケースを示したが、最も簡易な実施形態としては、内部の段をなくして底板を着脱可能とし、ケース前面・天板・妻部を一体化した透明部材により構成し、その妻部のみ着脱可能とした、図２のような展示ケースも考えられる。
【符号の説明】
【００１５】１  展示ケース本体
２  妻部
３  底板
【図１】
0003182414.tif 000003
【図２】
0003182414.tif 000004
【図３】
0003182414.tif 000005
【手続補正書】
【提出日】平成24年12月25日(2012.12.25)
【手続補正１】
【補正対象書類名】実用新案登録請求の範囲
【補正対象項目名】全文
【補正方法】変更
【補正の内容】
【実用新案登録請求の範囲】
【請求項１】
展示ケース妻部の部材を、ケース背面及び前面の部材に設けられた溝状の支持部分に上から差し込まれ着脱可能なプレート状の部材とし、この取外しにより同一仕様のケース二台以上が接続使用可能なことを特徴とする展示ケース。
【請求項２】
ケース妻部の部材の着脱について、一切の工具等を必要としない事を特徴とする、請求項１記載の展示ケース。
【請求項３】
ケースの外形を正しい直方体とし、単体の重さを２ｋｇ以内とする事により、住宅等建築物の壁表面に於いて、容易に、縦横に隙間なく連続した取付けができる事を特徴とする、請求項１記載の展示ケース。
(57)【要約】【課題】テーブル等の脚により、畳を傷つけることなく、テーブル等を配置できる脚受具を提供する。【解決手段】脚受具１は、板状の本体部１０と、この本体部１０の一面一端部に設けられた凹状の第１の脚受部１１と、一面他端部に設けられた凹状の第２の脚受部１２とを有している。本体部１０の長手方向の長さＬは、４０ｃｍ以上８０ｃｍ以下である。これにより、テーブルの脚を第１の脚受部１１及び第２の脚受部１２に載せることができ、テーブルの脚により畳が傷つくことを防止することができる。また、テーブルの脚を載置したまま、容易に移動することができる。【選択図】図１
0003182462.tif 000002
【実用新案登録請求の範囲】
【請求項１】
板状の本体部と、この本体部の一面側一端部に設けられた凹状の第１の脚受部と、前記本体部の一面側他端部に設けられた凹状の第２の脚受部とを有し、
前記本体部の長手方向の長さが、４０ｃｍ以上８０ｃｍ以下であることを特徴とする脚受具。
【考案の詳細な説明】
【技術分野】
【０００１】
本考案は、テーブル等の脚などによる畳などの傷つきを防止するための脚受具に関する。
【背景技術】
【０００２】
温泉施設などの休憩所は、食事をしたり、横になってゆっくり休める等の理由から、畳の部屋であることが多い。しかしながら、温泉施設を理由する人には、膝痛や腰痛などの人も多く、直接、畳に座ることを嫌う人もいる。
【０００３】
そこで、畳の上に、直接、テーブルや椅子などを配置することも考えられる。しかしながら、この場合には、テーブルの脚などにより、畳が傷ついてしまうという問題があった。
【考案の概要】
【考案が解決しようとする課題】
【０００４】
よって、テーブル等の脚により、畳を傷つけることなく、テーブル等を配置できる製品の開発が望まれていた。
【０００５】
本考案は、テーブル等の脚により、畳を傷つけることなく、テーブル等を配置できる脚受具を提供することを目的とする。
【課題を解決するための手段】
【０００６】
本考案の脚受具は、板状の本体部と、この本体部の一面側一端部に設けられた凹状の第１の脚受部と、本体部の一面側他端部に設けられた凹状の第２の脚受部とを有し、本体部の長手方向の長さが、４０ｃｍ以上８０ｃｍ以下のものである。
【考案の効果】
【０００７】
本考案の脚受具によれば、板状の本体部に、凹状の第１の脚受部と凹状の第２の脚受部とを設けるようにしたので、例えば、テーブルの脚等を第１の脚受部及び第２の脚受部に載せることができ、テーブルの脚等により畳が傷つくことを防止することができる。また、本体部の長手方向の長さを４０ｃｍ以上８０ｃｍ以下とするようにしたので、テーブルの脚等を載置したまま、容易に移動することができる。
【図面の簡単な説明】
【０００８】
【図１】本考案の一実施の形態に係る脚受具の斜視図および側面断面図である。
【図２】図１に示した脚受具に、テーブルを載置した状態を表す図である。
【図３】本考案の変形例に係る脚受具の斜視図および側面断面図である。
【図４】図３に示した脚受具に、テーブルを載置した状態を表す図である。
【考案を実施するための形態】
【０００９】
以下、本考案の実施の形態について、図面を参照して詳細に説明する。
【００１０】
図１（ａ）および図１（ｂ）は、本考案の一実施の形態に係る脚受具１の斜視図、及び側面の断面図である。また、図２は、この脚受具１に、テーブルを載置した状態を表すものである。この脚受具１は、板状の本体部１０と、この本体部１０の一面側一端部に設けられた凹状の第１の脚受部１１と、一面側他端部に設けられた凹状の第２の脚受部１２とを有している。
【００１１】
本体部１０は、例えば、略直方体であり、その角は、丸みを帯びていることが好ましい。畳をより傷つけ難くするからである。また、本体部１０の表面、特に、畳と接触する部分は、例えば、塗料などを塗ることにより、滑りやすくなっていることが好ましい。畳をより傷つけ難くするからである。本体部１０の厚みは、１０ｍｍ以上３０ｍｍ以下とすることが好ましい。厚みが小さすぎると、強度が弱くなってしまい、また、厚みが大きすぎると、テーブルを載置したときのバランスが悪くなってしまうからである。
【００１２】
第１の脚受部１１、及び第２の脚受部１２は、テーブルの脚を載置するものである。第１の脚受部１１、及び第２の脚受部１２の深さは、５ｍｍ以上１５ｍｍ以下とすることが好ましい。深さが浅いと、テーブルの脚を載置したときのバランスが悪くなり、また、深さをこれ以上深くしても、効果は変わらないからである。
【００１３】
第１の脚受部１１、及び第２の脚受部１２の形状は、テーブルの脚が載置できる形状であればよく、例えば、テーブルの脚の形状に合わせた形状とすることができる。その形状は、例えば、上部から見たときに、円状や角状などが挙げられる。
【００１４】
本体部１０の長手方向の長さＬは、４０ｃｍ以上８０ｃｍ以下であることが好ましい。長手方向の長さＬが小さいと、テーブルを載置したまま移動するとバランスを崩すことがあり、また、長手方向の長さＬが大きすぎても、脚受具１が大きくなってしまい、かえって邪魔になってしまうからである。すなわち、この範囲とすれば、テーブルの脚を載置したまま、容易に移動することができるからである。
【００１５】
このように本実施の形態の脚受具１によれば、板状の本体部１０に、凹状の第１の脚受部１１と凹状の第２の脚受部１２とを設けるようにしたので、例えば、テーブルの脚を第１の脚受部１１及び第２の脚受部１２に載せることができ、テーブルの脚により畳が傷つくことを防止することができる。また、本体部の長手方向の長さを４０ｃｍ以上８０ｃｍ以下とするようにしたので、テーブルの脚を載置したまま、容易に移動することができる。
【００１６】
以上、実施の形態を挙げて本考案を説明したが、本考案は上記実施の形態に限定されるものではなく、種々変形可能である。図３（ａ）および図３（ｂ）は、脚受具１の変形例を表すものであり、斜視図、及び側面の断面図であり、図４は、テーブルを載置した状態を表すものである。この脚受具１では、第２の脚受部１２の形状が、第１の脚受部１１よりも大きくなっており、例えば、脚受具１の長手方向に沿って、細長くなっている。これにより、種々の間隔を有するテーブルの脚部に合わせることができるようになっている。
【００１７】
また、上記実施の形態及び変形例では、テーブルを載置する場合について説明したが、椅子の脚を載置することもできる
【符号の説明】
【００１８】
１…脚受具、１１…本体部、１２…第１の脚受部、１３…第２の脚受部
【図１】
0003182462.tif 000003
【図２】
0003182462.tif 000004
【図３】
0003182462.tif 000005
【図４】
0003182462.tif 000006
(57)【要約】      （修正有）【課題】日常的に利用される種々のパック商品、包装物、網袋、スーパー提供バッグなどを容易に開封・封止するための簡易開封止具を提供する。【解決手段】Ｓは本体、１は任意な線径、線長、弾性の鋼線Ｗで形成される円錐形ばね、Ｄは下円面、ｄは上円面、Ｐ１、Ｐ２、Ｐ３はばねピッチ、ＨはＤ−ｄ差高である。２、３は鋼線Ｗの切断端部で、その鋭端面を錐カッターとして使用できる。【選択図】図１
0003182456.tif 000002
【実用新案登録請求の範囲】
【請求項１】
適当な線間寸法、形状、弾性の円錐形ばねから成る簡易開封止具
【考案の詳細な説明】
【技術分野】
【０００１】
日常的に利用される種々のパック商品、包装物、網袋、ス−パ−提供バッグなどを容易に開封・封止するための簡易用具である。
【考案の概要】
【考案が解決しようとする課題】
【０００２】
密封パック食品、包装商品などを開封するため鋏やナイフなどの刃物を使用するため怪我が生じ、他方、封止のため種々の長短クリップなどを使用するが、特定用途・部分に限定され不便であるという難点がある。
【課題を解決するための手段】
【０００３】
本考案は、適当な寸法、形状、弾性の円錐形ばねから成る簡易な開封止具である。
【考案の効果】
【０００４】
円錐形ばねは形状的に安定、安全であり、力学的にＰＥバッグなどの柔軟シ−ト材を円滑に円錐形状に絞り引き抜きができるから、バッグ開口部を同様に絞り引き抜くことにより衛生的で簡易な封止化ができる。
【０００５】
ばね鋼線の切断端部は錐カッタ−として密封パックなどの外面を開孔し、そこから自在に引き裂くことにより容易に開封化できる。
【図面の簡単な説明】
【０００６】
【図１】本考案本体を示す斜視説明図。
【図２】買物前バッグを示す斜視説明図。
【図３】買物後バッグの絞引・封止化を示す斜視説明図。
【図４】同バッグの巻込・封止化を示す斜視説明図。
【図５】液体容器バッグの閉栓・封止化を示す斜視説明図。
【図６】網袋折重開口部の圧入・封止化を示す斜視説明図。
【図７】切断端部による密封パックの開孔・開封化を示す斜視説明図。
【考案を実施するための形態】
【０００７】
図１において、Ｓは本考案本体、１は適当な線径、線長、弾性の鋼線Ｗで形成される円錐形ばね、Ｄは下円面、ｄは上円面、Ｐ１、Ｐ２、Ｐ３はばねピッチ、ＨはＤ−ｄ差高である。２、３は鋼線Ｗの切断端部で、その鋭端面を錐カッタ−として使用してもよい。
【０００８】
図２において、Ｂ１はス−パ−などが提供する買物前バッグ、６は手提部、７は開口部である。買物用バッグとして種々の紙袋、プラスッチクバッグ、縫製布製品などがあり、大小寸法、厚手薄手素材に適合する封止をすることができる。
【実施例１】
【０００９】
図３において、片手で円錐形ばね１を、片手で柔軟な薄手の買物後バッグＢ２の手提部６を握りながら、指先で大円面Ｄから押し込み、小円面ｄから開口部７まで矢印上方にロ−プ状に絞り引き抜けば、簡易に開口部７を封止化ができる。この簡易封止化により異物混入、雨滴、盗難などを防止できる。
【００１０】
小環４は、ばね１に適当に付加して手提部６の引抜先端を二次封止化するため利用するか、小環端部５を付加錐カッタ−として活用するとよい。
【実施例２】
【００１１】
図４において、片手で買物後バッグＢ２の手提部６をロ−プ状に握り絞り、本体Ｓの、例えば、ばねピッチＰ２の適合間隙から矢印方向に鋼線Ｗに接触するまで挿入し、らせん方向に回せば鋼線接触部位を巻き締めるから、強固な巻締・封止化ができる。
【実施例３】
【００１２】
図５において、厚手液体容器バッグＢ３に飲料水などの液体９を注入し、バッグ開口部７を円錐形ばね１の上円面ｄから矢印方向に引き出し開放した状態で、キャップ栓１０を開口部７に嵌入すれば、衛生的な閉栓・封止液体保存容器バッグとなり、災害時などに有用である。
【実施例４】
【００１３】
図６において、厚手網袋Ｂ４の折重開口部８を、ばねピッチ、例えば、Ｐ３の適合間隙に圧入すれば、両面接触ばね鋼線Ｗによる適度の両面圧力・封止化ができる。ここで本体Ｓを開口部８の折重面で左右自在に移動して適正な位置で適正圧力・封止化するか、複数本体の配設により複数圧・封止化することもできる。
【実施例５】
【００１４】
図７において、密封パックＢ５を開封するため、円錐形ばね１の、例えば、切断端部２を錐カッタ−として使用し、パック外面に開孔１１を設けて、そこから矢印方向にばね鋼線Ｗで引き裂けば容易に開孔・開封化できる。
【産業上の利用可能性】
【００１５】
種々の包装品の開封、開封物の封止、閉栓保存などに簡易に利用できる。
【符号の説明】
【００１６】
Ｂ１：買物前バッグ                    １：円錐形ばね
Ｂ２：買物後バッグ                    ２：切断端部
Ｂ３：液体容器バッグ                  ３：切断端部
Ｂ４：網袋                            ４：小環
Ｂ５：密封パック                      ５：小環端部
Ｄ：下円面                          ６：手提部
ｄ：上円面                          ７：開口部
Ｈ：D-ｄ差高                        ８：折重開口部
Ｐ１：ばねピッチ                      ９：液体
Ｐ１：ばねピッチ                    １０：キャップ栓
Ｐ３：ばねピッチ                    １１：開孔
Ｓ：本体
Ｗ：鋼線
【図１】
0003182456.tif 000003
【図２】
0003182456.tif 000004
【図３】
0003182456.tif 000005
【図４】
0003182456.tif 000006
【図５】
0003182456.tif 000007
【図６】
0003182456.tif 000008
【図７】
0003182456.tif 000009
(57)【要約】      （修正有）【課題】投げなくても、ゴムひもを使わなくても、軽く離すだけで空気に乗って飛び、またどんな体制で落としても体制を立て直して着陸する紙飛行機を提供する。【解決手段】上記紙飛行機は、コーヒーフィルターを使用して製作される。具体的には、紙飛行機本体と主翼部と胴体部とで構成され、前記主翼部には主翼部全体の前面に主翼の折り返し部が設けられており、前記紙飛行機本体は中心部分をセンター線として左右対称に折れ曲がっており、その折れ曲がっている角度は１６０度から１７０度とする。【選択図】図４
0003182802.tif 000002
【実用新案登録請求の範囲】
【請求項１】
コーヒーフィルターを使用して作る紙飛行機であって、前記紙飛行機は紙飛行機本体（1）と主翼部（3）と胴体部（4）とで構成され、前記主翼部には主翼部全体の前面に主翼の折り返し部（2）が設けられており、前記紙飛行機本体は中心部分をセンター線として左右対称に折れ曲がっており、その折れ曲がっている角度は１６０度から１７０度であることを特徴とする紙飛行機。
【考案の詳細な説明】
【技術分野】
【０００１】
本考案は、コーヒーフィルターを使って作り、抜群の飛行性能を特徴とする紙飛行機に関する。
【背景技術】
【０００２】
従来、紙飛行機は水平方向から上方向に投げて飛ばすか、ゴムひもを用いて飛ばしていた。
【先行技術文献】
【特許文献】
【０００３】
【特許文献１】特開２００８−１２６０１２
【特許文献２】特開２００８−２９６０９
【考案の概要】
【考案が解決しようとする課題】
【０００４】
一般の紙飛行機は投げるか、ゴムひもを用いて飛ばしていた。また、先行技術文献1および先行技術文献2で紹介されている紙飛行機は、墜落する問題がある。
【０００５】
本考案の目的は、投げなくても、ゴムひもを使わなくても飛ぶ紙飛行機を提供することにある。軽く離すだけで空気に乗って飛び、またどんな体制で落としても体制を立て直して着陸する墜落しない紙飛行機の提供にある。
【課題を解決するための手段】
【０００６】
従来の紙飛行機は発射の勢いで飛ぶので投げる速度によって飛行距離が違ってくる、空気に乗っていない。力をいれて投げないと飛ばないし、手から離すタイミングが難しい。コーヒーフィルターを使うことで紙飛行機の重量を軽くすること、主翼の前面に主翼の折り返し部を設けることで空気の流れに乗ることと水平を保とうとすることができる。
【０００７】
本考案はコーヒーフィルターで作られた紙飛行機で構成され、前記紙飛行機は紙飛行機本体（1）と主翼部（3）と胴体部（4）とで構成され、前記主翼部には主翼部全体の前面に主翼の折り返し部（2）が設けられており、前記紙飛行機本体は中心部分をセンター線として左右対称に折れ曲がっており、その折れ曲がっている角度は１６０度から１７０度であることを特徴としている。
【考案の効果】
【０００８】
従来の紙飛行機は、用紙でできているが、本考案の飛行機はコーヒーフィルターでできているので機体が軽く、空気によく乗り、投げなくても離すだけで良好な飛行が得られる。また主翼部全体の前面に主翼の折り返し部（2）を設けることで自己回復力ができ、体制を整えて着陸する。
【０００９】
本考案の紙飛行機によれば、コーヒーフィルターは７人用の大きなものを使うと安定したゆっくりした飛行をする紙飛行機が得られる。一方、２人用などの小さい面積のフィルターで作った場合は飛ぶけれど安定性に少し欠ける。
【００１０】
製作時間は慣れると３分ぐらいで完成する。
【図面の簡単な説明】
【００１１】
【図１】本考案の紙飛行機の一実施例を示す上面図である。
【図２】本考案により製作過程の写真である。
【図３】製作過程の写真である。・用意するもの  コーヒーフィルター（大きい方が良い）、ハサミ、ホッチキス、切るラインを引く治具（治具は最初はなくてもよい）写真１・治具を使ってハサミで切る線を入れる（初めて作るときはこの切る線は写真５のところで書く。）写真２・Ａの線で谷折りする  写真３・ひろげて折る。そのときBの線が引けてない場合、写真５のようにBの線を引く  写真５・元の状態に戻す。そのとき、上の紙と下の紙がずれないようクリップで止めて、ずれないようにして、ハサミでＢ線に沿って切る。写真６
【図４】・飛行機本体をひろげる。写真８・切った残りの三角の紙をと折って飛行機本体の先に取り付ける。写真９，１０，１１，１２
【図５】・クリップで固定して、ホッチキスで２か所止める。  写真１６・下の部分をまっすぐに切る。写真１７・正面から見て対象になるように形を整える。・みみを下に折ると右に旋回、上げると左に旋回、調整によって、まっすぐに飛ぶ。・完成  写真１９
【考案を実施するための形態】
【００１２】
図１、図２を詳しく説明する。主翼折り返し部分２は上に折れ返している。主翼角度４は１６０度から１７０度が良い。コーヒーフィルター、ホッチキス，はさみ、クリップを使う。
【００１３】
図１から図１９が作りかたの写真。
【実施例】
【００１４】
一般の紙飛行機との違いについて説明する。材料はコーヒーフィルター７人用を使用した。
【００１５】
コーヒーフィルターには茶色と白色があるどちらでもよいが、大きいもので、すこしかための紙の質が良い。
なお、今回はコーヒーフィルターを使用したが、同じような形状で、素材がコーヒーフィルターでなくても、軽量の樹脂等を使用しても同じ性能の飛行機を製作することができることは言うまでもない。
【符号の説明】
【００１６】
１  紙飛行機本体（上面からの図１）
２  主翼折り返し部（上面からの図１）
３  主翼部（正面からの図２）
４  胴体部（正面からの図２）
【図１】
0003182802.tif 000003
【図２】
0003182802.tif 000004
【図３】
0003182802.tif 000005
【図４】
0003182802.tif 000006
【図５】
0003182802.tif 000007